(57)【要約】【課題】使用者の撮影スタイルの変更による設定をより簡便にし、使い勝手の向上した撮像装置を提供することを目的とする。【解決手段】撮像装置は、画像データを表示し、基準位置及び基準位置と異なる位置をとり得る第１の表示手段と、物体が第１の表示手段へ近接していることを検知する近接検知手段と、第１の表示手段が基準位置にあるか否かを検知する位置検知手段と、撮像手段により生成された画像データを表示する第２の表示手段と、第１の表示手段が基準位置にないことを位置検知手段が検知したときは、近接検知手段を動作させ、かつ、近接検知手段が物体の近接を検知したときに第1の表示手段を動作させ、近接検知手段が物体の近接を検知していないときに第２の表示手段を動作させるように制御を行う制御手段と、を備える。【選択図】図７
2012023723.tif 000002
【特許請求の範囲】
【請求項１】
被写体像を撮像し画像データを生成する撮像手段と、
前記撮像手段により生成された画像データを表示し、基準位置及び前記基準位置と異なる位置をとり得る第１の表示手段と、
物体が前記第１の表示手段へ近接していることを検知する近接検知手段と、
前記第１の表示手段が前記基準位置にあるか否かを検知する位置検知手段と、
前記撮像手段により生成された画像データを表示する第２の表示手段と、
前記第１の表示手段が前記基準位置にないことを前記位置検知手段が検知したときは、前記近接検知手段を動作させ、かつ、前記近接検知手段が物体の近接を検知したときに前記第1の表示手段を動作させ、前記近接検知手段が物体の近接を検知していないときに前記第２の表示手段を動作させるように制御を行う制御手段と、
を備える、撮像装置。
【請求項２】
前記第１の表示手段は前記撮像装置の本体に対して着脱可能な表示手段である、請求項１記載の撮像装置。
【請求項３】
前記第１の表示手段が前記撮像装置の本体に装着されたときに、使用者が前記撮像装置の機能を設定するためのメニューにおいて、前記第１の表示手段及び前記第２の表示手段間の自動切換に関する設定項目が追加される、
請求項２記載の撮像装置。
【請求項４】
使用者が前記撮像装置に対する指示を行う操作部材をさらに備え、
前記制御手段は、前記第１の表示手段が前記撮像装置の本体に装着されたときに、前記操作部材に対して、前記第１の表示手段及び第２の表示手段間の手動切換えに関する機能を割り当てる、
請求項２記載の撮像装置。
【請求項５】
前記制御手段は、前記第１の表示手段が前記基準位置にあることを前記位置検知手段が検知したときは、前記近接検知手段の機能を停止させるように制御する、
請求項１記載の撮像装置。
【請求項６】
撮像した画像データを表示する表示手段であって基準位置及び前記基準位置と異なる位置をとり得る第１の表示手段を装着可能な撮像装置であって、
撮像した画像データを表示する第２の表示手段と、
前記第１の表示手段が前記基準位置にあるか否かを判断する位置判断手段と、
物体が前記第１の表示手段へ近接しているか否かを判断する近接判断手段と、
前記第１及び第２の表示手段を制御する制御手段と、を備え、
前記位置判断手段により前記第１の表示手段が前記基準位置にないと判断された場合、前記制御手段は、前記近接判断手段により物体が前記第１の表示手段へ近接していると判断されたときに前記第１の表示手段を動作させ、前記近接判断手段により物体が前記第１の表示手段へ近接していると判断されていないときに前記第２の表示手段を動作させるように制御を行う、
撮像装置。
【請求項７】
前記制御手段は、前記第１の表示手段が前記撮像装置の本体に装着されたときに、使用者が前記撮像装置の機能を設定するためのメニューにおいて、前記第１の表示手段及び前記第２の表示手段間の自動切換に関する設定項目を追加する、
請求項６記載の撮像装置。
【請求項８】
使用者が前記撮像装置に対する指示を行うための操作部材をさらに備え、
前記制御手段は、前記第１の表示手段が前記撮像装置の本体に装着されたときに、前記操作部材に対して、前記第１の表示手段及び第２の表示手段間の手動切換えに関する機能を割り当てる、
請求項６記載の撮像装置。
【発明の詳細な説明】
【技術分野】
【０００１】
本発明は、可動な表示手段を含む複数の表示手段を備えた撮像装置に関する。
【背景技術】
【０００２】
特許文献１は、ビューファインダーおよびモニターの２種類の表示手段を備えた撮像装置を開示する。この撮像装置は接眼検知手段を備えており、接眼検知手段により使用者のビューファインダーへの接眼が検知されたときに、モニターの表示をオフにし、接眼が検知されていないときはビューファインダーの表示をオフにする。この制御により、操作が容易で、かつ不必要な電力消費の低減を可能とした撮像装置を実現している。
【先行技術文献】
【特許文献】
【０００３】
【特許文献１】特開平１０−４５０９号公報
【発明の概要】
【発明が解決しようとする課題】
【０００４】
上記特許文献１が開示する撮像装置は、ビューファインダーおよびモニターの表示切換を、接眼検知手段の検出結果に基づく自動切換とせずに手動で行う設定とし、かつビューファインダーの表示をオフ（モニターの表示をオン）とする設定にした場合、使用者がビューファインダーを覗き込んでもビューファインダーには何も表示されない。そのような状況において使用者がビューファインダーを覗き込んで被写体を確認したいときには、ビューファインダーへの表示をオンにする操作をわざわざ行う必要があり、操作が煩雑になり、使い勝手が悪いという課題があった。
【０００５】
本発明は、上記課題を解決すべくなされたものであり、その目的とするところは、複数の表示手段の切り替えに関する使い勝手が向上した撮像装置を提供することにある。
【課題を解決するための手段】
【０００６】
本発明の第１の態様において提供される撮像装置は、被写体像を撮像し画像データを生成する撮像手段と、撮像手段により生成された画像データを表示し、基準位置及び基準位置と異なる位置をとり得る第１の表示手段と、物体が第１の表示手段へ近接していることを検知する近接検知手段と、第１の表示手段が基準位置にあるか否かを検知する位置検知手段と、撮像手段により生成された画像データを表示する第２の表示手段と、第１の表示手段が基準位置にないことを位置検知手段が検知したときは、近接検知手段を動作させ、かつ、近接検知手段が物体の近接を検知したときに第１の表示手段を動作させ、近接検知手段が物体の近接を検知していないときに第２の表示手段を動作させるように制御を行う制御手段と、を備える。
【０００７】
本発明の第２の態様において、撮像した画像データを表示する表示手段であって基準位置及び基準位置と異なる位置をとり得る第１の表示手段を装着可能な撮像装置が提供される。撮像装置は、撮像した画像データを表示する第２の表示手段と、第１の表示手段が基準位置にあるか否かを判断する位置判断手段と、物体が第１の表示手段へ近接しているか否かを判断する近接判断手段と、第１及び第２の表示手段を制御する制御手段と、を備える。位置判断手段により第１の表示手段が基準位置にないと判断された場合、制御手段は、近接判断手段により物体が第１の表示手段へ近接していると判断されたときに第１の表示手段を動作させ、近接判断手段により物体が前記第１の表示手段へ近接していると判断されていないときに第２の表示手段を動作させるように制御を行う。
【発明の効果】
【０００８】
本発明によれば、第１の表示手段（例えば、外部ビューファインダー）が基準位置から動かされたときに、強制的に近接検知手段を動作させて、近接検知手段が物体の近接を検知したときに第１の表示手段を動作させる。これにより、例えば、表示手段の自動切換機能が無効に設定されている場合でも、使用者が第１の表示手段（例えば、外部ビューファインダー）を使用するために、第１の表示手段（外部ビューファインダー）を回転させたときに、表示モニター自動切換機能が有効になる。よって、使用者の撮影スタイルの変更にともなう表示手段の変更の設定が簡便になり、撮像装置の使い勝手が向上する。
【図面の簡単な説明】
【０００９】
【図１】カメラシステムの電気的構成を示すブロック図
【図２】カメラシステムの背面図
【図３】（ａ）設定メニューを説明した図、（ｂ）「表示モニター自動切換」の項目が追加された設定メニューを説明した図
【図４】（ａ）外部ビューファインダーの収納状態を説明した図、（ｂ）外部ビューファインダーのバリアングル状態を説明した図
【図５】実施の形態１にかかるカメラシステムのカメラボディに外部ビューファインダーを接続したときの動作を説明するためのフローチャート
【図６】外部ビューファインダーをカメラボディに取り付けたときに表示されるメッセージの一例を示す図
【図７】実施の形態１にかかるカメラシステムの表示モニターの切換動作を説明するためのフローチャート
【発明を実施するための形態】
【００１０】
１．実施の形態１
１−１．概要
本実施の形態に係るカメラシステムは、交換レンズとカメラボディを備え、接続コネクタを介して外部ビューファインダーが取り付け可能である。カメラボディは、背面液晶モニター（以下「背面モニター」と称す）と、外部ビューファインダー接続用コネクタ（以下「接続コネクタ」と称す）とを備える。外部ビューファインダーは、接眼検知センサと、液晶表示部(以下「ファインダーモニター」と称す）と、外部ビューファインダーの状態を検出する検出スイッチとを備える。
【００１１】
以下の実施形態では、外部ビューファインダーが取り付けられたカメラシステムすなわち２つの表示モニター（背面モニター及び外部ビューファインダー）を備えたカメラシステムにおいて、使用者の撮影スタイルの変更による設定をより簡便にし、使い勝手の良いカメラシステムを説明する。
【００１２】
以下、本発明の思想をレンズ交換式のカメラシステムに適用した場合の実施の形態について図面を用いて説明する。
【００１３】
１−２．構成
図１は実施の形態１に係るカメラシステム１の構成を示すブロック図である。図２は、実施の形態１に係るカメラシステム１を背面から見た様子を示す模式図である。カメラシステム１は、交換レンズ１００と、カメラボディ２００と、外部ビューファインダー３００とを備える。交換レンズ１００は、ズームレンズやフォーカスレンズ（図示せず）を有しており、交換レンズ１００中を通過した光をカメラボディ２００に導く。
【００１４】
カメラボディ２００は、ＣＣＤイメージセンサ２１０と、マイコン２２０と、背面モニター２３０と、ＤＲＡＭ２４０と、操作部材２５０と、カードスロット２６０と、接続コネクタ２７０とを備える。
【００１５】
カメラシステム１は、交換レンズ１００を介して入射した被写体像をＣＣＤイメージセンサ２１０によって撮像し、電気信号に変換し、画像データを生成する。マイコン２２０は、生成した画像データに各種画像処理や圧縮処理を施して、メモリーカード４００に記録する。以下、各構成の詳細について説明する。
【００１６】
マイコン２２０は操作部材２５０の指示に応じてカメラシステム１全体の動作を制御する。マイコン２２０は、ＣＣＤイメージセンサ２１０から得た画像データに対してガンマ補正、キズ補正、ホワイトバランス補正等の各種画像処理、ＪＰＥＧ圧縮処理やＭＰＥＧ圧縮処理等の圧縮処理等を施す。マイコン２２０は、制御動作や画像処理においてＤＲＡＭ２４０をワークメモリとして使用する。
【００１７】
ＤＲＡＭ２４０は制御に用いる以下の３つのフラグ２４１、２４２、２４３を格納する。
・自動切換フラグ２４１：「表示モニター自動切換」に関するユーザー設定状態を示すフラグ
・接眼検知動作フラグ２４２：マイコン２２０が実際に接眼検知動作を行うか否かを決定するために参照するフラグ
・表示モニターフラグ２４３：接眼検知動作フラグ２４２がＯＦＦのときに（すなわち、表示モニターを自動で切換えない場合に）、機能させるべき表示モニターを示すフラグ
【００１８】
各フラグの値（ＯＮ、ＯＦＦ）と、それらの値が示す意味は以下のとおりである。
【００１９】
【表１】
2012023723.tif 000003
【００２０】
カメラシステム１は、設定メニューを背面モニター２３０に表示可能であり、使用者は設定メニュー上でカメラシステム１の種々の機能設定を行うことができる。設定メニューは、例えば、接眼検知センサー３１０の検知結果に基づく表示モニターの自動切替えに関する設定である「表示モニター自動切換」の項目を有する（図３（ｂ）参照）。
【００２１】
使用者により設定メニュー上で「表示モニター自動切換」の設定がＯＮに、すなわち自動切換に設定されると、マイコン２２０は、自動切換フラグ２４１を「ＯＮ」に設定する。また、使用者により「表示モニター自動切換」の設定がＯＦＦに、すなわち手動切換に設定されると、マイコン２２０は自動切換フラグ２４１を「ＯＦＦ」に設定する。このように、自動切換フラグ２４１は、使用者により設定メニュー上で設定された、表示モニターの自動切換に関する設定の内容を示す。
【００２２】
接眼検知動作フラグ２４２がＯＮのとき、マイコン２２０は接眼検知センサ３１０を動作させる。このとき、マイコン２２０は、接眼検知センサ３１０による検知結果に基づき、機能させる表示モニターを切り換える。接眼検知動作フラグ２４２がＯＦＦのとき、マイコン２２０は接眼検知センサ３１０の動作を停止させる。このとき、マイコン２２０は、表示モニターフラグ２４３の値に基づき、機能させる表示モニター（画像を表示する表示モニター）を決定する。
【００２３】
表示モニターフラグ２４３は、機能させる表示モニターが背面モニター２３０である場合、「ＯＮ」の値をとり、機能させる表示モニターが外部ビューファインダー３００（すなわちファインダーモニター３２０）である場合は、「ＯＦＦ」の値をとる。マイコン２２０は、外部ビューファインダー３００の接続状態と、自動切換フラグ２４１の状態と、検出スイッチ３４０の状態とに基づいて、接眼検知動作フラグ２４２を設定する。接眼検知動作フラグ２４２の設定の詳細は後述する。
【００２４】
背面モニター２３０はカメラボディ２００の背面に備えられている。ファインダーモニター３２０は、外部ビューファインダー３００内に備えられている。使用者は、外部ビューファインダー３００内のファインダーモニター３２０を覗き込むことによりＣＣＤイメージセンサ２１０で撮像された画像を確認できる。背面モニター２３０及びファインダーモニター３２０は、マイコン２２０で各種画像処理等を施された画像データが示す画像を表示する。背面モニター２３０及びファインダーモニター３２０は、スルー画像やメモリーカード４００に記録されている画像データが示す静止画像を表示できる。ここで、スルー画像とは、静止画撮影を行う際に構図を決定するために表示される動画像であり、記録されない画像である。
【００２５】
背面モニター２３０及びファインダーモニター３２０は設定メニューを表示できる。例えば、背面モニター２３０及びファインダーモニター３２０は、設定メニューとして、撮影する画像データの画素数を設定するメニュー画面や、露出を設定するメニュー画面や、ＩＳＯ感度を設定するメニュー画面等を表示できる。特に、本実施形態では、外部ビューファインダー３００がカメラボディ２００に接続されている場合、前述の「表示モニター自動切換」の設定項目を含む設定メニュー（図３（ｂ）参照）を表示できる。
【００２６】
操作部材２５０は各種操作部材の総称である。例えば、後述するファンクション釦２５１や十字キー２５２等が該当する。操作部材２５０は、タッチパネルを含んでいてもよい。
【００２７】
カードスロット２６０は、メモリーカード４００を装着できる。メモリーカード４００は、マイコン２２０により生成された画像データを格納できる。またメモリーカード４００は、格納されたデータをマイコン２２０に出力することもできる。
【００２８】
接続コネクタ２７０は、カメラボディ２００と外部ビューファインダー３００とを電気的に接続するコネクタである。マイコン２２０は、外部ビューファインダー３００に対して、接続コネクタ２７０を介して、外部ビューファインダー取り付け情報、画像データ、接眼検知センサの有無に関する情報、接眼検知状態の情報等のデータを通信している。外部ビューファインダー取り付け情報は、外部ビューファインダー３００が接続コネクタ２７０に接続されているか否かを示す情報であり、マイコン２２０が、外部ビューファインダー３００が接続コネクタ２７０に接続されているか否かを判断するために使用される。また、外部ビューファインダー３００が接眼検知センサ３１０を備えている場合、接眼検知センサの有無に関する情報として、外部ビューファインダー３００から接続コネクタ２７０を介して、外部ビューファインダー３００が接眼検知センサを備えていることを示す情報がマイコン２２０に送信される。本実施の形態では、外部ビューファインダー３００は接眼検知センサ３１０を備えているが、外部ビューファインダー３００が接眼検知センサ３１０を備えていない場合、接眼検知センサを備えていないことを示す情報をマイコン２２０に送信してもよい。
【００２９】
外部ビューファインダー３００は、外部ビューファインダー３００すなわち接眼検知センサ３１０及びファインダーモニター３２０の向きを可動させるヒンジ３３０と、外部ビューファインダー３００の回転状態（位置）を検出する検出スイッチ３４０と、使用者がファインダーモニター３２０を覗き込む接眼窓３５０とを備える。
【００３０】
接眼検知センサ３１０は、外部ビューファインダー３００の後方部で接眼窓３５０近傍に配置される。接眼検知センサ３１０は、物体の近接、すなわち、接眼検知センサ３１０から所定距離内に物体が存在するか否かを検知する。接眼検知センサ３１０は、物体の存在を検知すると、接眼検知状態であることを示す情報を、接続コネクタ２７０を介してマイコン２２０に送信する。また、接眼検知センサ３１０は、物体の存在を検知しないときは、非接眼検知状態であることを示す情報を接続コネクタ２７０を介してマイコン２２０に送信する。使用者が接眼窓３５０からファインダーモニター３２０を覗き込んだとき、接眼検知センサ３１０は、所定距離内に物体（使用者の顔の一部）が存在すると検知し、接眼検知状態を示す情報をマイコン２２０に送信する。
【００３１】
外部ビューファインダー３００のファインダーモニター３２０は、ヒンジ３３０を回転軸として上下方向に角度（位置）を変化させることができる。ヒンジ３３０の回転軸は、カメラボディ２００の左右方向と平行である。すなわち、外部ビューファインダー３００は、図４（ａ）に示すような、外部ビューファインダー３００の下面がカメラボディ２００の上面と平行な状態である収納状態（基準状態）と、図４（ｂ）に示すような、収納状態からヒンジ３３０を回転軸として外部ビューファインダー３００を上方に回転させた状態である状態（以下「バリアングル状態」という）とをとり得る。なお、外部ビューファインダー３００が収納状態にあるときの位置を、外部ビューファインダー３００の基準位置とする。
【００３２】
検出スイッチ３４０は、外部ビューファインダー３００の状態が収納状態かバリアングル状態かを検出するスイッチである。外部ビューファインダー３００が収納状態のとき、検出スイッチ３４０はＯＦＦとなり、外部ビューファインダー３００がバリアングル状態のとき、検出スイッチ３４０はＯＮとなる。収納状態のとき、ファインダーモニター３２０の向きはカメラボディ２００の後方へ向く。すなわち、外部ビューファインダー３００を収納状態としたとき、ファインダーモニター３２０の向きは、交換レンズ１００の光軸Ｌの方向と略一致する。
【００３３】
図２を参照し、接眼検知センサ３１０は、接眼窓３５０の下部近傍に配置されており、使用者がヒンジ３３０を中心に外部ビューファインダー３００を上方に回転させると、接眼検知センサ３１０は接眼窓３５０およびファインダーモニター３２０と一体となって上方に回転する。使用者が接眼窓３５０を通してファインダーモニター３２０を覗き込むと、顔の一部が接眼検知センサ３１０を覆うため、接眼検知センサ３１０は所定距離内に物体があることを検知して、検知信号を接続コネクタ２７０を介してマイコン２２０に送信する。
【００３４】
使用者は、レリーズ釦を全押しすることで静止画像を撮影できる。十字キー２５２は上下左右釦と、その中心に位置する決定釦とを備える。使用者は、十字キー２５２を構成する各種釦を押下することにより、背面モニター２３０またはファインダーモニター３２０上に表示されるＧＵＩ上のメニューの選択等をすることができる。
【００３５】
１−２−１．用語の対応
ＣＣＤイメージセンサ２１０は撮像手段の一例である。ファインダーモニター３２０は、第１の表示手段の一例である。収納状態でのファインダーモニター３２０の位置は基準位置の一例である。接眼検知センサ３１０は近接検知手段の一例である。検出スイッチ３４０は位置検出手段の一例である。背面モニター２３０は第２の表示手段の一例である。マイコン２２０は制御手段の一例である。また、マイコン２２０は位置判断手段及び近接判断手段の一例である。
【００３６】
１−３．動作
１−３−１．外部ビューファインダー接続時の動作
図５は本実施の形態１に係るカメラシステム１のカメラボディ２００に外部ビューファインダー３００を接続したときの動作を説明するためのフローチャートである。
【００３７】
マイコン２２０が、カメラボディ２００の接続コネクタ２７０に外部ビューファインダー３００が接続されたことを検出すると、接眼検知センサ３１０の有無を検出する（Ｓ３０１）。
【００３８】
ここで、接眼検知センサ３１０の有無の検出方法の例について説明する。カメラボディ２００のマイコン２２０と、外部ビューファインダー３００のマイコン（図示せず）とは、接続コネクタ２７０を介して、外部ビューファインダー３００がカメラボディ２００に接続されたことを確認すると、マイコン間で通信を開始し、カメラボディ２００のマイコン２２０が、接眼検知センサ３１０の有無を判別する。または、外部ビューファインダー３００が、接眼検知センサを内蔵していることを示す識別信号を出力する機能を有する場合、マイコン２２０は、外部ビューファインダー３００からその識別信号を受信したときに、接眼検知センサを内蔵したビューファインダーが装着されたと判断してもよい。または、メニュー上で、外部ビューファインダー３００に接眼検知センサ３１０があるか否かを設定するようにしてもよい。
【００３９】
上記のような方法により、マイコン２２０が接眼検知センサ３１０の存在を検知すると（Ｓ３０１において“ＹＥＳ”）、マイコン２２０は設定メニューに、「表示モニター自動切換」の設定項目を追加する（Ｓ３０２）。すなわち、本実施形態では、通常、設定メニューにおいて、図３（ａ）に示すように「表示モニター自動切換」の項目は表示されないようになっている。接眼検知センサ３１０の存在が検知されたときに、図３（ｂ）に示すように、設定メニューにおいて、「表示モニター自動切換」の項目２０が追加される。同時に、マイコン２２０は、「表示モニター自動切換」の初期設定をＯＮ、すなわち、表示モニターを接眼検知センサ３１０の検知結果に基づき自動的に切り換える「自動切換」に設定すると共に、自動切換フラグ２４１をＯＮに設定する。なお、このとき、表示モニター自動切換の設定がＯＮに設定されたことを示すメッセージを背面モニター２３０に表示して使用者に通知してもよい（図６参照）。
【００４０】
次に、マイコン２２０は、所定のファンクション釦２５１に、表示モニター手動切換機能を割り当てる（Ｓ３０３）。表示モニター手動切換機能とは、使用者のマニュアル操作により表示モニターを強制的に背面モニター２３０または外部ビューファインダー３００に切換える機能である。使用者によりファンクション釦２５１が押下されるたびに、マイコン２２０は、機能させる表示モニターを背面モニター２３０とファインダーモニター３２０間で切り替えると共に、表示モニターフラグ２４３の値を、切り替えた表示モニターに対応させて変更する。なお、ファンクション釦２５１に限らず、操作部材２５０の任意の釦に表示モニター手動切換機能を割り当てても良い。
【００４１】
一方、接眼検知センサ３１０の存在を検知しなかったとき（Ｓ３０１において“ＮＯ”）、マイコン２２０は、ファンクション釦２５１に表示モニター手動切換機能を割り当てる（Ｓ３０３）。
【００４２】
以上の動作により、外部ビューファインダー３００がカメラボディ２００に接続されたときに、外部ビューファインダー３００と背面モニター２３０とが自動的に切換可能な状態で、外部ビューファインダー３００が使用可能となる。その後、使用者は、表示モニターの自動切換を行うか否かの設定（自動切換フラグ２４１の設定）をメニューに追加された「表示モニター自動切換」の項目２０（図３（ｂ）参照）上で変更することができる。
【００４３】
１−３−２．表示モニターの切換動作
本実施形態のカメラシステム１における表示モニターの切換動作について説明する。本実施形態では、１）外部ビューファインダー３００がカメラボディ２００に接続されたことを検知したとき、２）使用者がメニューの「表示モニター自動切換」項目の設定を変更することにより自動切換フラグ２４１が変更されたとき、または、３）検出スイッチ３４０の状態が変化したときに、機能させる表示モニターが切換えられる。
【００４４】
図７は、本実施の形態に係るカメラシステム１の表示モニターの切換動作を説明するためのフローチャートである。
【００４５】
マイコン２２０が上記の設定／状態が変化したことを検知すると、まず、自動切換フラグ２４１に基づき、表示モニターの切換が自動切換か手動切換のいずれに設定されているかを判断する（Ｓ４０１）。
【００４６】
自動切換フラグ２４１がＯＮ、すなわちメニュー上で使用者により「自動切換」に設定されている場合、マイコン２２０は、接眼検知動作フラグ２４２をＯＮに設定し、表示モニター自動切換機能を動作させる（Ｓ４０９）。マイコン２２０は、接眼検知センサ３１０からの検知結果を受けて、接眼検知状態の確認を行う（Ｓ４１０）。マイコン２２０は、接眼検知センサ３１０による検知結果が接眼検知状態を示す場合（Ｓ４１０でＹＥＳ）、機能させる表示モニターを外部ビューファインダー３００に設定し、外部ビューファインダー３００内のファインダーモニター３２０へ画像を表示させる（Ｓ４１１）。接眼検知センサ３１０による検知結果が接眼非検知状態を示す場合（Ｓ４１０でＮＯ）、マイコン２２０は、機能させる表示モニターを背面モニター２３０に設定し、背面モニター２３０へ画像を表示させる（Ｓ４０８）。
【００４７】
一方、ステップＳ４０１において自動切換フラグ２４１がＯＦＦ、すなわち「手動切換」に設定されている場合、マイコン２２０は、現在機能している表示モニターが背面モニター２３０であるか外部ビューファインダー３００であるかを確認する（Ｓ４０２）。現在機能している表示モニターが背面モニター２３０であるとき、マイコン２２０は表示モニターフラグ２４３を「ＯＮ」に設定し（Ｓ４０３）、現在機能している表示モニターが外部ビューファインダー３００であるとき、マイコン２２０は表示モニターフラグ２４３を「ＯＦＦ」に設定する（Ｓ４０４）。
【００４８】
次に、マイコン２２０は検出スイッチ３４０の状態に基づき、外部ビューファインダー３００の状態を確認する（Ｓ４０５）。具体的には、検出スイッチ３４０の状態がＯＦＦ、もしくはＯＮからＯＦＦに変化した時には、外部ビューファインダー３００は“収納状態”にあると判断される。よって、その場合、マイコン２２０は外部ビューファインダー３００が収納状態であると認識し、接眼検知動作フラグ２４２をＯＦＦに設定し、表示モニター自動切換機能を停止させる（Ｓ４０６）。
【００４９】
次に、マイコン２２０は、表示モニターフラグ２４３を参照して、表示モニターに関するユーザ設定を確認する（Ｓ４０７）。すなわち、マイコン２２０は、接眼検知動作フラグ２４２がＯＦＦであるため、表示モニターフラグ２４３に基づいて、機能させる表示モニターを決定する。表示モニターフラグ２４３が「ＯＦＦ」であるとき、すなわち、機能させる表示モニターが外部ビューファインダー３００に設定されているときは、マイコン２２０は、外部ビューファインダー３００内のファインダーモニター３２０へ画像を表示させる（Ｓ４１１）。また、表示モニターフラグ２４３が「ＯＮ」であるとき、すなわち、機能させる表示モニターが背面モニター２３０に設定されているときは、マイコン２２０は、背面モニター２３０へ画像を表示させる（Ｓ４０８）。
【００５０】
一方、ステップＳ４０５において、検出スイッチ３４０の状態がＯＮ、もしくはＯＦＦからＯＮに変化した時には、外部ビューファインダー３００は“バリアングル状態”にあると判断される。よって、その場合、マイコン２２０は、外部ビューファインダー３００がバリアングル状態であると認識し、接眼検知動作フラグ２４２をＯＮに設定し、表示モニター自動切換機能を動作させる（Ｓ４０９）。以降、同様にして、各フラグや接眼検知動作の結果に応じて、機能させる表示モニターを切り換える。
【００５１】
１−４．まとめ
以上のように、本実施形態のカメラシステム１は、被写体像を撮像し画像データを生成するＣＣＤイメージセンサ２１０と、ＣＣＤイメージセンサ２１０により生成された画像データを表示し、基準位置（収納状態）及び基準位置と異なる位置（バリアングル状態）をとり得る外部ビューファインダー３００と、物体が外部ビューファインダー３００へ近接していることを検知する接眼検知センサ３１０と、外部ビューファインダー３００が基準位置にあるか否かを検知する検出スイッチ３４０と、ＣＣＤイメージセンサ２１０により生成された画像データを表示する背面モニター２３０と、外部ビューファインダー３００が基準位置にないことを検出スイッチ３４０が検知したときは、接眼検知センサ３１０を動作させ、かつ、接眼検知センサ３１０が物体の近接を検知したときに外部ビューファインダー３００を動作させ、接眼検知センサ３１０が物体の近接を検知していないときは背面モニター２３０を動作させるように制御を行うマイコン２２０と、を備える。
【００５２】
以上の構成により、表示モニターの切換設定が「手動切換」に設定されている場合であっても、使用者が外部ビューファインダー３００を上方へ回転させバリアングル状態としたときは、表示モニター自動切換機能を動作させる。これにより、表示モニターの自動切換え機能を無効としている場合でも、使用者が外部ビューファインダー３００を使用するために、外部ビューファインダー３００を回転させたときには、表示モニター自動切換機能が有効になる。このため、使用者が外部ビューファインダー３００に接眼すれば、外部ビューファインダー３００内のファインダーモニター３２０に画像が表示され、使用者は外部ビューファインダー３００を介して画像の確認等を行うことが可能となる。したがって、使用者は、背面モニター２３０を視ながらの撮影から外部ビューファインダー３００を覗きながらの撮影に撮影スタイルを変更した場合であっても、表示モニターの設定の変更を手動で行う必要がなく、カメラシステム１の使い勝手が向上する。
【００５３】
２．他の実施の形態
上記実施の形態に限定されず、他の種々の実施形態が考えられる。以下、他の実施の形態についてまとめて記載する。
【００５４】
上記実施の形態において、カメラシステム１は、カメラボディ２００と、これに装着可能な交換レンズ１００とを備える構成とした。しかしながら、カメラボディとレンズは必ずしも分離可能である必要はなく、レンズとカメラボディとが一体に構成されてもよい。
【００５５】
上記実施の形態において、外部ビューファインダー３００はカメラボディ２００に対して着脱可能であるものとして説明した。しかしながら、ファインダーモニター３２０がカメラボディ２００に対して上方に回転（チルト動作）可能であれば、外部ビューファインダー３００は、カメラボディ２００に対して別体である必要はなく、カメラボディ２００と一体で構成されていてもよい。
【００５６】
上記実施の形態では説明を省略したが、外部ビューファインダー３００がカメラボディ２００から取り外されたときには、マイコン２２０は、機能させる表示モニターを背面モニター２３０に決定すればよい。
【００５７】
上記実施の形態では背面モニター２３０はカメラボディ２００の背面に固定して設けられているものとしたが、背面モニター２３０はかならずしも背面に固定して設けられていなくともよい。例えば、カメラボディ側面に回転軸を設けて、その回転軸を中心として回転可能なように背面モニターをカメラボディに設けてもよい。
【００５８】
上記実施の形態では、接眼検知センサ３１０は接眼窓３５０に隣接して配置されており、使用者が外部ビューファインダー３００を回転させると、接眼検知センサ３１０は接眼窓３５０およびファインダーモニター３２０と一体となって回転するよう構成した。しかし、接眼検知センサ３１０を、ヒンジ３３０に対してカメラボディ２００側の部材に設けるようにしてもよい。
【００５９】
上記実施の形態では、カメラボディ２００に外部ビューファインダー３００が接続されたときに、設定メニューに「表示モニター自動切換」の設定項目を追加する例（図５のフローチャートのステップＳ３０２）を説明した。設定メニューが常時「表示モニター自動切換」の設定項目を有していてもよい。この場合、カメラボディ２００に外部ビューファインダー３００が接続されていないときは、「表示モニター自動切換」の設定を操作不能にし、カメラボディ２００に外部ビューファインダー３００が接続され、かつ、接眼検知センサ３１０の存在が確認できたときに、「表示モニター自動切換」の設定を操作可能にする。
【００６０】
上記実施の形態において、撮像素子としてＣＣＤイメージセンサ２１０を用いるものとして説明したが、撮像素子はこれには限定されない。例えば、本発明においては、ＣＣＤイメージセンサ２１０に代えて、ＣＭＯＳイメージセンサやＮＭＯＳイメージセンサ等、他の撮像素子を用いても良い。
【産業上の利用可能性】
【００６１】
本発明は、使用者の撮影スタイルの変更による設定をより簡便にし、使い勝手を向上できるため、デジタルスチルカメラやデジタルビデオカメラなどの撮像装置にも適用できる。
【符号の説明】
【００６２】
1  カメラシステム
１００  交換レンズ
２００  カメラボディ
２１０  ＣＣＤイメージセンサ
２２０  マイコン
２３０  背面モニター
２４０  DRAM
２４１  自動切換フラグ
２４２  接眼検知動作フラグ
２４３  表示モニターフラグ
２５０  操作部材
２５１  ファンクション釦
２５２  十字キー
２６０  カードスロット
２７０  接続コネクタ
３００  外部ビューファインダー
３１０  接眼検知センサ
３２０  ファインダーモニター
３３０  ヒンジ
３４０  検出スイッチ
３５０  接眼窓
４００  メモリカード
【図１】
2012023723.tif 000004
【図２】
2012023723.tif 000005
【図３】
2012023723.tif 000006
【図４】
2012023723.tif 000007
【図５】
2012023723.tif 000008
【図６】
2012023723.tif 000009
【図７】
2012023723.tif 000010